(57)【要約】【課題】表示された図や文字のちらつきを抑制した表示装置と、これを有する顕微鏡装置を提供すること。【解決手段】装置を操作するための操作部と前記装置の状態の少なくとも何れかに関する情報について、順次転送される走査線を表示することで表示フレームを形成する表示手段４９と、前記表示手段への表示制御を行う制御手段４１と、前記制御手段からの前記表示手段への前記情報の表示データを記憶するメモリ４３，４４と、表示されているフレームを形成する最後の走査線が表示された後に次のフレームを表示させるために順次転送する走査線として前記メモリの表示データを前記表示手段に表示させるための信号を送出する信号生成手段５５を有する表示装置４０。【選択図】図２
2008257130.tif 000002
【特許請求の範囲】
【請求項１】
装置を操作するための操作部と前記装置の状態の少なくとも何れかに関する情報について、順次転送される走査線を表示することで表示フレームを形成する表示手段と、
前記表示手段への表示制御を行う制御手段と、
前記制御手段からの前記表示手段への前記情報の表示データを記憶するメモリと、
表示されているフレームを形成する最後の走査線が表示された後に次のフレームを表示させるために順次転送する走査線として前記メモリの表示データを前記表示手段に表示させるための信号を送出する信号生成手段を有することを特徴とする表示装置。
【請求項２】
前記メモリは、前記制御手段からの前記表示手段への前記情報の表示データと表示データの基情報となる書込みデータのそれぞれを個別に記憶する第１のメモリと第２のメモリの少なくとも２つのメモリであることを特徴とする請求項１に記載の表示装置。
【請求項３】
前記表示装置は、前記情報の書込みデータを記憶する第１のメモリに前記制御手段から前記書込みデータを前記第１のメモリに送出する第１切替手段と、
前記表示データを前記第２のメモリから前記表示手段に出力する第２切替手段と、
前記第１切替手段と前記第２切替手段の切替制御を行う切替制御手段を備えることを特徴とする請求項２に記載の表示装置。
【請求項４】
前記切替制御手段は、前記制御手段から前記第１のメモリへ前記書き込みデータの送出完了信号と前記信号生成手段からの信号に基づき、
前記第１切替手段と前記第２切替手段に切替制御信号を送出することを特徴とする請求項３に記載の表示装置。
【請求項５】
前記信号生成手段からの信号は、前記表示手段の垂直同期信号からなることを特徴とする請求項１から３のいずれか１項に記載の表示装置。
【請求項６】
前記切替制御手段は、顕微鏡制御部からの信号を更に含むことを特徴とする請求項３に記載の表示装置。
【請求項７】
前記制御手段は、前記第１のメモリに送出する前記書き込みデータと前記第２のメモリに送出する前記書き込みデータを同じアドレス空間に有することを特徴とする請求項１から６のいずれか１項に記載の表示装置。
【請求項８】
請求項１から７のいずれか１項に記載の表示装置を有することを特徴とする顕微鏡装置。
【発明の詳細な説明】
【技術分野】
【０００１】
本発明は、顕微鏡の設定状態等を表示する表示装置とこれを有する顕微鏡装置に関する。
【背景技術】
【０００２】
従来、図や文字を表示装置に表示する際、書き換え可能なメモリを複数装備し、表示用メモリと書き込み用メモリを分離し、切り替えて表示するものや、複数のメモリに異なった表示内容を書き込み、合成表示する表示装置が提案されている（例えば、特許文献１参照）。
【特許文献１】特開２０００−２３２６２３号公報
【発明の開示】
【発明が解決しようとする課題】
【０００３】
しかしながら、電動顕微鏡には、電動で動作する光学部材が多く配設され、観察状態によってさまざまな光学部材がさまざまな状態に設定され、表示装置の表示すべき内容が多い。しかもこれらの表示内容は、ダイナミックに（常時）状態が変更されたりそれぞれの表示内容を一度に書き換える必要があるが、従来の表示装置では書き換えによる表示のちらつき（表された文字等の輪郭が不明瞭となる）が多く観察者にとって表示内容が確認しづらいという問題がある。
【課題を解決するための手段】
【０００４】
上記課題を解決するため、本発明は、装置を操作するための操作部と前記装置の状態の少なくとも何れかに関する情報について、順次転送される走査線を表示することで表示フレームを形成する表示手段と、前記表示手段への表示制御を行う制御手段と、前記制御手段からの前記表示手段への前記情報の表示データを記憶するメモリと、表示されているフレームを形成する最後の走査線が表示された後に次のフレームを表示させるために順次転送する走査線として前記メモリの表示データを前記表示手段に表示させるための信号を送出する信号生成手段を有することを特徴とする表示装置を提供する。
【０００５】
また、本発明は、前記表示装置を有することを特徴とする顕微鏡装置を提供する。
【発明の効果】
【０００６】
本発明によれば、表示された図や文字のちらつきを抑制した表示装置と、これを有する顕微鏡装置を提供することができる。
【発明を実施するための最良の形態】
【０００７】
以下、本発明の実施に形態にかかる表示装置と、これを有する顕微鏡装置について図面を参照しつつ説明する。
【０００８】
（第１実施の形態）
図１は、第１実施の形態にかかる表示装置と、これを有する顕微鏡装置の概略構成図である。図２は、表示装置のブロック図を示す。図３は、表示データのアドレス空間を示すブロック図である。図４は、表示装置の表示タイミングを示す図である。図５は、表示装置に表示される図や文字の例を示す。図６は、表示装置に表示される各種表示の例を示す。図７から図９は、図６に示す表示の名称とその内容を説明する一覧表である。
【０００９】
図１において、顕微鏡装置１は、倒立型蛍光顕微鏡１０と倒立型蛍光顕微鏡１０からの蛍光像などを観察するＰＣ（パーソナルコンピュータ）３０と、倒立型蛍光顕微鏡１０の各種光学部材の状態を表示する表示装置４０とから構成されている。
【００１０】
倒立型蛍光顕微鏡１０では、透過照明用光源１１からの照明光は透過照明光学系１２を介してステージ１３に載置された標本１４に照射され、標本１４からの光は、対物レンズ１５で集光され結像光学系１６を介して接眼レンズ１７で観察者に観察される。また、一部の光は、カメラ１８で撮像されカメラコントローラ１９で画像処理されたのちＰＣ３０のモニタ３１で観察することができる。
【００１１】
また、落射照明用光源２０からの励起光は、落射照明光学系２１を介して電動フィルターボックス２２の波長選択フィルタ２３を透過しダイクロイックミラー２４で対物レンズ１５側に反射され対物レンズ１５で標本１４に照射される。標本１４からの蛍光は対物レンズ１５で集光されダイクロイックミラー２４とエミッションフィルタ２５を透過して結像光学系１６を介してカメラ１８に入射、撮像され、カメラコントローラ１９で画像処理されたのちＰＣ３０のモニタ３１で観察される。
【００１２】
倒立型蛍光顕微鏡１０の各種の光学部材は電動化されており、顕微鏡制御部３を介して接続されたＰＣ３０の入力装置３２からの入力によって動作が制御可能に構成されている。例えば、透過照明光学系１２や落射照明光学系２１内に配置されたそれぞれ不図示のシャッタ、対物レンズ１５を交換する電動レボルバ２６、電動フィルタボックス２２、カメラ１８の不図示のシャッタ、ステージ１３のＸＹＺ移動など種々の電動光学部材が搭載されている。
【００１３】
また、倒立型蛍光顕微鏡１０には、表示装置４０が顕微鏡制御部３を介して接続され、電動光学部材の状態を表示し作業者が倒立型蛍光顕微鏡１０の状態を確認可能に構成されている。なお、表示装置４０の液晶表示部４９に表示される内容は、ＰＣ３０のモニタ３１上に表示することも可能である。また、表示装置４０の不図示のスイッチを操作することで電動光学部材を動作させることも可能である。
【００１４】
このようにして、倒立型蛍光顕微鏡１０とＰＣ３０と表示装置４０を有する顕微鏡装置１が構成されている。なお、倒立型蛍光顕微鏡１０は正立型顕微鏡であっても良いし、蛍光顕微鏡以外の顕微鏡であっても良い。
【００１５】
次に、実施の形態にかかる表示装置４０について図面を参照しつつ説明する。図２は、実施の形態にかかる表示装置４０のブロック図を示す。
【００１６】
図２において、表示装置４０のＣＰＵ４１には、倒立型蛍光顕微鏡１０が接続され、ＲＳ２３２Ｃ通信やＵＳＢ通信、ネットワークまたは各状態を示す信号先等の記載が省略されている。
【００１７】
ＣＰＵ４１は、図や文字などの表示データ４２をメモリ４３、メモリ４４に向けて送信する。メモリ切替機４５は、ＣＰＵ４１からの表示データ４２を書き込み側メモリ、図２ではメモリ４３に表示データ４６として送信する。
【００１８】
メモリ４３内にある表示データ４７は、メモリ切替機４８により遮断され、液晶表示部４９には送信されない。一方、表示メモリ、図２ではメモリ４４内にある表示データ５０は、メモリ切替機４８により表示データ５１として液晶表示部４９に送信されている。この際、ＣＰＵ４１からの表示データ４２は、メモリ切替機４５により遮断され、メモリ４４には送信されない。
【００１９】
ＣＰＵ４１からの表示データ４２の送信が完了した後、ＣＰＵ４１はバンク切替機５２に対して終了信号５３を送信する。そうすると、バンク切替機５２は、メモリ切替機４５およびメモリ切替機４８に対し切替信号５４を送信する。また、切替信号５４は、表示用制御信号５７を生成するカウンタ５５の垂直同期信号（ＶＤ信号）５６に同期させて送信するように構成されている。
【００２０】
カウンタ５５は、液晶表示部４９に対して、映像制御信号（ＨＤ：水平同期信号，ＶＤ：垂直同期信号，ＣＰ：クロックパルス信号）等の表示用制御信号５７を生成し、さらにメモリ４３およびメモリ４４の表示データである液晶表示部４９のアドレス信号５８も発生させている。
【００２１】
ＣＰＵ４１からの終了信号５３とＶＤ信号５６とに同期がとられた切替信号５４をもとにメモリ４３とメモリ４４がメモリ切替機４５および、メモリ切替機４８により切替えられ、書き込みメモリ４３と表示メモリ４４の関係が逆転する。
【００２２】
すなわち、ＣＰＵ４１は、表示データ４２をメモリ４３、メモリ４４に向けて送信する。メモリ切替機４５は、ＣＰＵ４１からの表示データ４２を書き込み側メモリ、すなわちメモリ４４に表示データ５９として送信する。メモリ４４内にある表示データ５０は、メモリ切替機４８により遮断され、液晶表示部４９には送信されない。一方、表示メモリ、すなわちメモリ４３内にある表示データ４７は、メモリ切替機４８により表示データ５１として液晶表示部４９に送信される。この際ＣＰＵ４１からの表示データ４２は、メモリ切替機４５により遮断され、メモリ４３には送信されない状態となる。
【００２３】
このようにして、書き換えメモリと表示メモリとが順次交換されて、表示データ４７、５０が順次液晶表示部４９に表示される。
【００２４】
次に、ＣＰＵ４１内における表示データ４２のメモリ空間に関し説明する。図３は、上記表示メモリと書き込みメモリ（両者は固定的ではない）のアドレス空間を示す図である。
【００２５】
図３（Ａ）は、図２に示すメモリ４３にＣＰＵ４１からの表示データ４２が書き込まれる場合のアドレス空間であり、ＣＰＵ４１からは、液晶表示部４９に対して、「００４０００００Ｈ」アドレスが先頭位置になるようにマッピングされる。このとき、図２のメモリ４３は、メモリ空間６１に相当し、メモリ空間６２は、ＣＰＵ４１からは認識できない。さらに、メモリ空間６２内の表示データ６６は、液晶表示部４９にカウンタ５５からのアドレス信号５８により順次送信され、液晶表示部４９に表示される。
【００２６】
また、図３（Ｂ）は、図２に示すメモリ４４にＣＰＵ４１からの表示データ４２が書き込まれる場合のアドレス空間であり、ＣＰＵ４１からは、液晶表示部４９に対して、「００４０００００Ｈ」アドレスが先頭位置になるようにマッピングされる。このとき、図２のメモリ４４は、メモリ空間６２に相当し、メモリ空間６１は、ＣＰＵ４１からは、認識できない。
【００２７】
さらに、メモリ空間６１内の表示データ６６は、液晶表示部４９にカウンタ５５からのアドレス信号５８により順次送信され、液晶表示部４９に表示される。上記２つの事象は、図２の切替信号５４によりメモリ切替機４５，４８の切替が実行される。
【００２８】
以下、液晶表示部４９の表示タイミングについて図４を参照しつつ説明する。
【００２９】
図２におけるメモリ４３またはメモリ４４で液晶表示部４９に送信される表示データ５１は、カウンタ５５で生成されるＨＤ信号、ＶＤ信号、ＣＰ信号により図４に示すように、フレーム１の走査線Ｈ１から走査線Ｈ２４０と順次転送され、走査線Ｈ２４０までくると、再びフレーム２の走査線Ｈ１にもどり上記を繰り返すことによりダイナミック表示を実現している。ここでのフレーム１、フレーム２は概念的な表記であり、液晶表示部４９の表示状況を概念的に示している。
【００３０】
図２で示した、切替信号５４によるメモリ切替機４５とメモリ切替機４８におけるメモリ４３とメモリ４４の切り替えタイミングは、図４に示すＶＤ信号（ＶＤ）の走査線Ｈ２４０から走査線Ｈ１に移る間の期間ＶＤ１で有効となる。この期間ＶＤ１にＣＰＵ４１からの終了信号５３があれば、メモリ切替機４５とメモリ切替機４８によりメモリ４３とメモリ４４の切り替えが行われる。
【００３１】
この結果、図２に示すメモリ４３が書き込みメモリ、メモリ４４が表示メモリであった状態が、メモリ４３が表示メモリ、メモリ４４が書き込みメモリと切替えられ、液晶表示部４９にメモリ４３の表示データ４７が表示されるようになる。そして次の切替信号５４がメモリ切替機４５、メモリ切替機４８に対して出力されるまでこの状態が維持される。
【００３２】
図５は、液晶表示部４９における表示内容例である。
【００３３】
液晶表示部４９には、倒立型蛍光顕微鏡１０の所定の観察状態における各光学部材の状態が表示されている。例として、標本１４を観察中の対物レンズ１５の状態について示す。グラフィックデータであるアイコン８１とその右横に観察中の対物レンズ１５のタイプ（ＰＬＡＮ  ＦＬＵＯＲ）、倍率値（１００ｘ）、N.A値（１．３０）、フォーカシング可能タイプ（ＰＦＳ）などの情報をキャラクター（文字）データ８２で表示している。また、ステージ１３のＸＹＺ座標値をキャラクター（文字）データ８３としてそれぞれ表示している。
【００３４】
図６は、液晶表示部４９に表示する光学部材等の状態情報を表示して示している。図７から図９は、図６に示す表示の名称と内容を説明する一覧表である。
【００３５】
図６中の（１）から（３４）、（ａ）から（ｑ）の意味は、図７から図９の対応するボタンの表記欄に、名称、略号、及び機能の内容が説明されている。なお、図６から図９に示す表示は、一つの例を示しこれに限定されるものではない。なお、図６において、電動光学部材が接続されていない項目は、ボタン（１）〜（２６）、及び状態表示（ａ）〜（ｋ）の対応するボタンが空白表示される。
【００３６】
（第２実施の形態）
図１０は、第２実施の形態にかかる表示装置のブロック図を示す。第１実施の形態と同様の構成には同じ符号を付し説明を省略する。
【００３７】
第２実施の形態にかかる表示装置９０は、第１実施の形態の表示装置４０のバンク切替機５２への入力信号に倒立型蛍光顕微鏡１０の顕微鏡制御部３からの信号が付加されている点が異なり、その他の構成、作用、及び効果は第１実施の形態と同様であり説明を省略する。
【００３８】
第２実施の形態におけるバンク切替機９１は、倒立型蛍光顕微鏡１０の制御部３からの信号９２が入力され、ＣＰＵ４１からの信号５３及びカウンタ５５からの信号５６の三つの信号が入力された状態で、バンク切替機９１からメモリ切替機４５、メモリ切替機４８に制御信号５４が送出される。以降の動作は第１実施の形態と同様であり説明を省略する。
【００３９】
このように、第２実施の形態では、倒立型蛍光顕微鏡１０の制御部３からの信号９２も使用するため、観察者の倒立型蛍光顕微鏡１０の観察状態変更に対応して液晶表示部４９の表示が変更することが付加され、観察状態変更がなければ表示状態が維持されるように制御することが可能になる。
【００４０】
以上述べたように、上記実施の形態にかかる表示装置４０、９０は、表示メモリと書き込みメモリの二つの系統のメモリ４３、メモリ４４をＣＰＵ４１からみて同一アドレス空間に配備しているため、ＣＰＵ４１は、メモリ４３とメモリ４４とを一つのメモリとして認識し、表示用メモリ、書き込み用メモリの区別なく表示内容を書き換えることが可能となる。そのため、表示内容書き換えを容易にするとともに、表示された画像のちらつきを防止することができる。
【００４１】
また、書き込み用メモリと表示用メモリの切り替えタイミングも表示装置の垂直同期信号ＶＤの切替期間ＶＤ１に同期させているため、従来の１フレーム中の走査線Ｈ１から走査線Ｈ２４０の途中の期間に切替える場合に比べ、画像のちらつきをさらに防止することができる。
【００４２】
なお、表示は、キャラクター（文字）データ、グラフィック（線画）データ、画像（動画、静止画）データのいずれも表示可能であり、それぞれのデータを書き込み後、表示メモリが切り替えられるようになるため、ちらつきがない表示を実現することができる。
【００４３】
また、メモリ４３とメモリ４４とを順番に切替え連続的に画像を表示するように制御することで動画像を表示することも可能になる。
【００４４】
また、上記説明では、二系統のメモリ４３、４４の切替の場合について説明したが、メモリは二系統に限らず複数のメモリを配置し、メモリ切替機４５、４８でそれぞれのメモリを選択するように構成することも可能である。この際、メモリ選択機４５、４８は、同時に同じメモリを選択しないように制御すればよい。
【００４５】
また、表示装置４０、９０は、ＰＣ３０で構成することも可能である。表示装置４０、９０をＰＣ３０で構成することにより、標本１４の画像と倒立型蛍光顕微鏡１０の電動光学部材の動作状態の確認をモニタ３１の表示を切替えることで観察することが可能になり、作業者の観察作業が容易となる。
【００４６】
なお、上述の実施の形態は例に過ぎず、上述の構成や形状に限定されるものではなく、本発明の範囲内において適宜修正、変更が可能である。
【図面の簡単な説明】
【００４７】
【図１】第１実施の形態にかかる表示装置を有する顕微鏡装置の概略構成図である。
【図２】第１実施の形態にかかる表示装置のブロック図を示す。
【図３】表示データのアドレス空間を示すブロック図である。
【図４】表示装置の表示タイミングを示す図である。
【図５】表示装置に表示される図や文字の一例を示す。
【図６】表示装置に表示される各種表示の例を示す。
【図７】図６に示す表示の名称とその内容を説明する一覧表である。
【図８】図６に示す表示の名称とその内容を説明する一覧表である。
【図９】図６に示す表示の名称とその内容を説明する一覧表である。
【図１０】第２実施の形態にかかる表示装置のブロック図を示す。
【符号の説明】
【００４８】
１    顕微鏡装置
３    顕微鏡制御装置
１０  倒立型蛍光顕微鏡
１１  透過照明用光源
１２  透過照明光学系
１３  ステージ
１４  標本
１５  対物レンズ
１６  結像光学系
１７  接眼レンズ
１８  カメラ
１９  カメラコントローラ
２０  落射照明用光源
２１  落射照明光学系
２２  電動フィルタボックス
２３  波長選択フィルタ
２４  ダイクロイックミラー
２５  エミッションフィルタ
２６  電動レボルバ
３０  ＰＣ
３１  モニタ
３２  入力装置
４０、９０  表示装置
４１  ＣＰＵ
４３、４４  メモリ
４５、４７  メモリ切替機
４９  液晶表示部
５２  バンク切替機
５５  カウンタ
【図１】
2008257130.tif 000003
【図２】
2008257130.tif 000004
【図３】
2008257130.tif 000005
【図４】
2008257130.tif 000006
【図５】
2008257130.tif 000007
【図６】
2008257130.tif 000008
【図７】
2008257130.tif 000009
【図８】
2008257130.tif 000010
【図９】
2008257130.tif 000011
【図１０】
2008257130.tif 000012